(57)【要約】【課題】バックボードにおいてゴールポイントの客観的な告知及び確認。【解決手段】バックボードにゴールリングが取付けられたバスケットボール競技用のゴールボードにおいて、前記バックボードの縁部に形成された白線帯の背面に制御手段２から受けた信号に基づいて点滅する発光部１１，１２，１３，１４からなる発光帯１を設ける。発光帯１は制御手段２から受けたゴールポイント（ツーポイント、ワンポイント、スリーポイント）を示す信号に基づいて所定の発光部１１，１２，１３，１４を点滅させる。制御手段２は、スコアを表示する電光掲示板３と通信可能であり、ゴールポイントを示す信号を発光帯１に供給する際、前記ゴールポイントを前記スコアに加算させる信号を電光掲示板３に供給する。【選択図】図１
2006102194.tif 000002
【特許請求の範囲】
【請求項１】
バックボードにゴールリングが取付けられたバスケットボール競技用のゴールボードにおいて、
前記バックボードの縁部に形成された白線帯の背面に制御手段から受けた信号に基づいて点滅する複数の発光部からなる発光帯を設け、
前記発光帯は前記制御手段から受けたゴールポイントを示す信号に基づいて所定の発光部を点滅させること
を特徴とするバスケットボール競技用のゴールボード。
【請求項２】
前記制御手段が前記ゴールポイントとしてツーポイントを示す信号を前記発光帯に供給すると、前記発光帯は前記白線帯の左右両辺部分の背面に設けられた発光部を点滅させること
を特徴とする請求項１記載のバスケットボール競技用のゴールボード。
【請求項３】
前記制御手段が前記ゴールポイントとしてワンポイントを示す信号を前記発光帯に供給すると、前記発光帯は前記白線帯の上辺部分の背面に設けられた発光部を点滅させること
を特徴とする請求項１または２記載のバスケットボール競技用のゴールボード。
【請求項４】
前記制御手段が前記ゴールポイントとしてスリーポイントを示す信号を前記発光帯に供給すると、前記発光帯は前記白線帯の上辺部分、下辺部分及び左右両辺部分の背面に設けられた発光部を点滅させること
を特徴とする請求項１から３のいずれか１項に記載のバスケットボール競技用のゴールボード。
【請求項５】
前記制御手段は、スコアを表示する電光掲示板と通信可能であり、ゴールポイントを示す信号を前記発光帯に供給する際、前記ゴールポイントを前記スコアに加算させる信号を前記電光掲示板に供給すること
を特徴とする請求項１から４のいずれか１項に記載のバスケットボール競技用のゴールボード。
【請求項６】
前記制御手段は、前記ゴールポイントとしてツーポイントを示す信号を前記発光帯に供給する際、前記スコアにツーポイントを加算させる信号を前記電光掲示板に供給すること
を特徴とする請求項５記載のバスケットボール競技用のゴールボード。
【請求項７】
前記制御手段は、前記ゴールポイントとしてワンポイントを示す信号を前記発光帯に供給する際、前記スコアにワンポイントを加算させる信号を前記電光掲示板に供給すること
を特徴とする請求項５または６記載のバスケットボール競技用のゴールボード。
【請求項８】
前記制御手段は、前記ゴールポイントとしてスリーポイントを示す信号を前記発光帯に供給する際、前記スコアにスリーポイントを加算させる信号を前記電光掲示板に供給すること
を特徴とする請求項５から７のいずれか１項に記載のバスケットボール競技用のゴールボード。
【発明の詳細な説明】
【技術分野】
【０００１】
本発明は、バスケットボール競技用のゴールボード、特に、バックボードがゴールポイントに基づき白線帯を点滅表示させるゴールボードに関する。
【背景技術】
【０００２】
バスケットボールの競技に供されるゴールボードは、バックボードにゴールリングが取付けられ、床面から所定の高さに固定支持（固定式）または移動可能に支持（移動式）される。とりわけ移動式のものとしては、台車に支柱が起伏可能に立設され、この支柱の上端部に所定長さのアームが回動可能に軸支され、このアームの一端部にはゴールリングを保持したバックボードが支持され、他端部に台車との間でステイが設けられているものがある。
【０００３】
そして、近年になって、バスケットボール競技のエンターテイメント性を高めるために、例えば特許文献１（特開２０００−０６１０１６）に示されたような、前記バックボードの白線帯の背面に発光体を配設して、バスケットボールがゴールインすると前記白線帯が発光するようなゴールボードが周知となっている。
【特許文献１】特開２０００−０６１０１６
【発明の開示】
【発明が解決しようとする課題】
【０００４】
バスケットボールの試合は一定時間のピリオドの時間帯で行なわれ、ピリオド終了時にホイッスルやブザーの鳴動によってピリオド終了を競技選手や観客に告知している。
【０００５】
また、最近、国際バスケットボール連盟（以下、ＦＩＢＡと称す）で定められたバスケットボール競技の用具の仕様によると、前記バックボードの縁部に設けられた白線帯を点灯させてピリオドの終了を競技選手や観客に告知させることの要請がある。
【０００６】
しかしながら、前記ＦＩＢＡ仕様の用具や特許文献１記載のゴールボードのように、単なるピリオド終了やゴールインの告知だけでは、いまだエンターテイメント性に欠けるものがある。特に、ゴールインの際にゴールゲットされたポイントが前記バックボードにおいて選手や観客に明確に表示できれば、より一層エンターテイメント性が高まる。
【０００７】
本発明は、かかる事情に鑑みなされたもので、その目的はバックボードにおいてゴールポイントの客観的な告知及び確認ができることで、より一層エンターテイメント性を高めたバスケットボール競技用のゴールボードの提供にある。
【課題を解決するための手段】
【０００８】
そこで、請求項１記載のバスケットボール競技用のゴールボードは、バックボードにゴールリングが取付けられたバスケットボール競技用のゴールボードにおいて、前記バックボードの縁部に形成された白線帯の背面に制御手段から受けた信号に基づいて点滅する複数の発光部からなる発光帯を設け、前記発光帯は前記制御手段から受けたゴールポイントを示す信号に基づいて所定の発光部を点滅させることを特徴とする。
【０００９】
本発明によれば、各種ショットによりゴールが決まると、前記制御手段が各種ゴールポイントを示す信号を前記発光帯に供給することで、前記発光帯は前記信号に基づき所定の発光部を点滅させるので、バックボードにおいてゴールポイントの客観的な告知及び確認ができるようになる。
【００１０】
また、請求項２記載のバスケットボール競技用のゴールボードは、請求項１記載のゴールボードにおいて、前記制御手段が前記ゴールポイントとしてツーポイントを示す信号を前記発光帯に供給すると、前記発光帯は前記白線帯の左右両辺部分の背面に設けられた発光部を点滅させることを特徴とする。
【００１１】
本発明によれば、レギュラーショットによりゴールゲットされると、前記制御手段が前記ゴールポイントとしてツーポイントを示す信号を前記発光帯に供給することで、前記発光帯は前記信号に基づき前記白線帯の左右両辺部分に背設された発光部を点滅させるので、バックボードにおいてツーポイントゴールの客観的な告知及び確認ができるようになる。
【００１２】
また、請求項３記載のバスケットボール競技用のゴールボードは、請求項１または２記載のゴールボードにおいて、前記制御手段が前記ゴールポイントとしてワンポイントを示す信号を前記発光帯に供給すると、前記発光帯は前記白線帯の上辺部分の背面に設けられた発光部を点滅させることを特徴とする。
【００１３】
本発明によれば、フリースローショットによりゴールゲットされると、前記制御手段が前記ゴールポイントとしてワンポイントを示す信号を前記発光帯に供給することで、発光帯は前記信号に基づき前記白線帯の上辺部分に背設された発光部を点滅させるので、バックボードにおいてワンポイントゴールの客観的な告知及び確認ができる。
【００１４】
また、請求項４記載のバスケットボール競技用のゴールボードは、請求項１から３のいずれか１項に記載のゴールボードにおいて、前記制御手段が前記ゴールポイントとしてスリーポイントを示す信号を前記発光帯に供給すると、前記発光帯は前記白線帯の上辺部分、下辺部分及び左右両辺部分の背面に設けられた発光部を点滅させることを特徴とする。
【００１５】
本発明によれば、スリーポイントショットによりゴールゲットされると、前記制御手段が前記ゴールポイントとしてスリーポイントを示す信号を前記発光帯に供給することで、発光帯は前記信号に基づき前記白線帯の上辺部分、下辺部分及び左右両辺部分に背設された発光部を点滅させるので、スリーポイントゴールの客観的な告知及び確認ができるようになる。
【００１６】
また、請求項５記載のバスケットボール競技用のゴールボードは、請求項１から４のいずれか１項に記載のゴールボードにおいて、前記制御手段は、スコアを表示する電光掲示板と通信可能であり、ゴールポイントを示す信号を前記発光帯に供給する際、前記ゴールポイントを前記スコアに加算させる信号を前記電光掲示板に供給することを特徴とする。
【００１７】
本発明によれば、各種ショットによりゴールが決まると、バックボードにおいてゴールポイントの客観的な告知及び確認ができるようになると共に、直ちに前記電光掲示板に表示されたスコアにゴールポイントを加算させることができる。
【００１８】
また、請求項６記載のバスケットボール競技用のゴールボードは、請求項５記載のゴールボードにおいて、前記制御手段は、前記ゴールポイントとしてツーポイントを示す信号を前記発光帯に供給する際、前記スコアにツーポイントを加算させる信号を前記電光掲示板に供給することを特徴とする。
【００１９】
本発明によれば、ツーポイントゴールが決まると、バックボードにおいてツーポイントゴールの客観的な告知及び確認ができるようになると共に、直ちに前記電光掲示板に表示されたスコアにツーポイントを加算させることができる。
【００２０】
また、請求項７記載のバスケットボール競技用のゴールボードは、請求項５または６記載のゴールボードにおいて、前記制御手段は、前記ゴールポイントとしてワンポイントを示す信号を前記発光帯に供給する際、前記スコアにワンポイントを加算させる信号を前記電光掲示板に供給することを特徴とする。
【００２１】
本発明によれば、ワンポイントゴールが決まると、バックボードにおいてワンポイントゴールの客観的な告知及び確認ができるようになると共に、直ちに前記電光掲示板に表示されたスコアにワンポイントを加算させることができる。
【００２２】
また、請求項８記載のバスケットボール競技用のゴールボードは、請求項５から７のいずれか１項に記載のゴールボードにおいて、前記制御手段は、前記ゴールポイントとしてスリーポイントを示す信号を前記発光帯に供給する際、前記スコアにスリーポイントを加算させる信号を前記電光掲示板に供給することを特徴とする。
【００２３】
本発明によれば、スリーポイントゴールが決まると、バックボードにおいてスリーポイントゴールの客観的な告知及び確認ができるようになると共に、直ちに前記電光掲示板に表示されたスコアにスリーポイントを加算させることができる。
【発明の効果】
【００２４】
請求項１〜４記載のバスケットボール競技用のゴールボードによれば、バスケットボールのゴールインの際にゴールポイントに応じた発光帯の点滅を行なえるので、バックボードにおいて各種ゴールポイントの客観的な告知及び確認ができるようになる。
【００２５】
また、請求項５〜８記載のバスケットボール競技用のゴールボードによれば、バスケットボールのゴールインの際にゴールポイントに応じた発光帯の点滅を行なう際、スコアを表示する電光掲示板にゴールポイントを加算させる信号を供給しているので、バックボードにおいて各種ゴールポイントの客観的な告知及び確認ができると共に、各種ゴールポイントを電光掲示板のスコアに加算できるようになる。
【００２６】
したがって、以上の本発明に係るバスケットボール競技用のゴールボードによれば、バスケットボールの試合が一層エンターテイメント性の高いものとなる。
【発明を実施するための最良の形態】
【００２７】
以下、図面を参照しながら本発明の実施形態例について説明するが、本発明の本質的内容はこの実施形態例に限定されるものではない。
【００２８】
図１は本発明のゴールボードに具備された発光帯の実施形態例を示した概略構成図である。また、図２は本実施形態例のゴールボードに具備されたバックボードに設けられた発光帯の取り付け状態を示した概略図で、特に（ａ）は正面図、（ｂ）は上面図、（ｃ）は側面図を示す。
【００２９】
図１に示された発光帯１は制御手段２から受けた信号に基づき点滅する発光部１１と発光部１２と発光部１３と発光部１４とからなる。発光帯１は、配線２５を介して制御手段２と電気的に接続され、制御手段２から受けたす信号に基づき所定の発光部１１，１２，１３及び１４を点滅させる。
【００３０】
発光帯１を設けたバックボードは、図２（ａ）に示されたゴールボード４のバックボード４ａように、ゴールリング４ｂが取付けられるメインボード４０を備え、その表面にＦＩＢＡの定めた仕様に規定された寸法の白線帯４１，４２が形成されている。白線帯４１はメインボード４０の縁部に形成されている。白線帯４２はゴールリング４ｂを保持するブラケット４４を取付けるブラケット取付部４３の上部に形成されている。尚、バックボード４ａは前記仕様に準拠された透明アクリル板または強化ガラス板等の部材から構成され、その下辺部分と左右両辺の一部分には安全パッド４５が付帯されている。
【００３１】
発光帯１は、図２（ｂ）（ｃ）に示されたように、バックボード４ａの白線帯４１の背面に設けられている。さらに詳細に述べると図１に示された実施形態例のような発光帯１を構成する発光部１１，１２，１３及び１４が白線帯４１の上辺部分、左辺部分、右辺部分及び下辺部分（但し、ブラケット取付部４３近傍を除く）の背面に各々設けられている。尚、発光部１１，１２，１３及び１４は施工やメンテナンス等の観点から適宜分割可能に設けられる（図１）。
【００３２】
次に図３を参照しながら発光部１１，１２，１３及び１４の構成例について説明する。図３は発光部１１の構成を示したＡ−Ａ断面図であるが、発光部１２，１３及び１４も同じ構成である。
【００３３】
発光部１１は、メインボード４０の背面に設けられる光散乱板１１１と、この光散乱板１１１によって密閉されるメインケース１１２と、このメインケース１１２が着脱自在に設けられる配線用ケース１１３とからなる。光散乱板１１１は光散乱機能を有するアクリル製の部材からなり白線帯４１と同等の幅で形成される。メインケース１１２と配線用ケース１１３は硬質塩化ビニルに例示される部材で構成され、その最大外径は白線帯４１と同等の幅で形成される。
【００３４】
メインケース１１２は光源１１０を格納している。光源１１０の機種及び発光色はＦＩＢＡで定めた仕様に準拠したものが望ましい。例えば、前記仕様に準拠したＬＥＤ（発光ダイオード）が挙げられる。また、メインケース１１２は、配線用ケース１１３と着脱自在に係合する一対の係合部１１４を有すると共に、メインボード４０と着脱自在に係合する一対の係合部１１５を有する。
【００３５】
配線用ケース１１３は制御手段２と光源１１０とを電気的に接続する配線２５を格納している。尚、配線２５は図１に示されたように適宜に接続ジャック２６で結線されている。
【００３６】
図４は発光帯１の点滅回路の一例を示した回路図である。
【００３７】
制御手段２は、４種のプッシュボタンを有する。すなわち、ツーポイント表示ボタン２１と、ワンポイント表示ボタン２２と、スリーポイント表示ボタン２３と、ピリオド終了表示ボタン２４とを備える。各表示ボタンは図４に示されたようにフリップフロップ回路を介して発光部１１，１２，１３及び１４に具備された光源と接続されている。尚、制御手段２は図１に示されたように電源を導入ための電源プラグ２０を具備している。
【００３８】
これらのプッシュボタンが押されると、図４に示したようなフリップフロップ機能を有する点滅点灯回路に基づき所定の発光部１１，１２，１３及び１４を点滅及び点灯動作させる。制御手段２には各発光部の点滅時間及び点灯時間を適宜調整できるタイマーを具備させてもよい。
【００３９】
図５は各表示ボタンによる発光帯の点滅及び点灯を説明したブロック図である。
【００４０】
ツーポイント表示ボタン２１は、レギュラーショットによってゴールゲットされた時に発光部１２及び１３を点滅させるためのものである。ツーポイント表示ボタン２１が押されると、制御手段１からツーポイントを示す信号が発光部１２及び１３に接続されたフリップフロップ回路Ｆ／Ｆに供され、発光部１２及び１３が点滅するようになっている。
【００４１】
ワンポイント表示ボタン２２は、フリースローショットによってゴールゲットされた時に発光部１１を点滅させるためのものである。ワンポイント表示ボタン２２が押されると、制御手段１からワンポイントを示す信号が発光部１１に接続されたフリップフロップ回路Ｆ／Ｆに供され、発光部１１が点滅するようになっている。
【００４２】
スリーポイント表示ボタン２３は、スリーポイントショットによってゴールゲットされた時に発光部１１，１２，１３及び１４を点滅させるためのものである。スリーポイント表示ボタン２３が押されると、制御手段１からスリーポイントを示す信号が発光部１１，１２，１３及び１４に接続されたフリップフロップ回路Ｆ／Ｆに供され、発光部１１，１２，１３及び１４が点滅するようになっている。
【００４３】
ピリオド終了表示ボタン２４は、ピリオド終了時に発光部１１，１２，１３及び１４を点灯させるためのものである。ピリオド終了表示ボタン２４が押されると、制御手段１からピリオド終了を示す信号が発光部１１，１２，１３及び１４に接続されたフリップフロップ回路Ｆ／Ｆに供され、発光部１１，１２，１３及び１４が点灯するようになっている。
【００４４】
また、制御手段２は電光掲示板３と通信可能で、ポイント表示ボタン２１，２２及び２３で指令された信号に基づき電光掲示板３に表示されたスコアへの各種ゴールポイントの加算や、ピリオド終了表示ボタン２４で指令された信号に基づき電光掲示板３においてピリオド終了の告知ができるようになっている。電光掲示板３としては例えばＦＩＢＡで定めた仕様のものが採用される。
【００４５】
次に図６Ａ〜図６Ｄを参照しながら制御手段２による発光帯１の動作例について、より具体的に説明する。
【００４６】
例えば、レギュラーショットによりゴールゲットされると、審判員によってツーポイント表示ボタン２１が押される。このとき、制御手段２がゴールポイントとしてツーポイントを示す信号を発光帯１に供給する。発光帯１は、前記信号に基づき、図６Ａに示したように、バックボードの白線帯の左右両辺部分に背設された発光部１２，１３を点滅させる。これにより、バックボードにおいてツーポイントゴールの客観的な告知及び確認ができるようになる。また、制御手段２は、ゴールポイントとしてツーポイントを示す信号を発光帯１に供給する際、電光掲示板３のスコアにツーポイントを加算させる信号を電光掲示板３に供給し、電光掲示板３に表示されたスコアにツーポイントを加算させる。
【００４７】
次に、フリースローショットによりゴールゲットされると、審判員によってワンポイント表示ボタン２２が押される。このとき、制御手段２が前記ゴールポイントとしてワンポイントを示す信号を発光帯１に供給する。発光帯１は、前記信号に基づき、図６Ｂに示したように、バックボードの白線帯の上辺部分に背設された発光部１１を点滅させる。これにより、バックボードにおいてワンポイントゴールの客観的な告知及び確認ができる。また、このとき、制御手段２は、前記ゴールポイントとしてワンポイントを示す信号を発光帯１に供給する際、電光掲示板３のスコアにワンポイントを加算させる信号を電光掲示板３に供給し、電光掲示板３に表示されたスコアにワンポイントを加算させる。
【００４８】
次に、スリーポイントショットによるゴールが決まると、審判員によってスリーポイント表示ボタン２３が押される。このとき、制御手段２が前記ゴールポイントとしてスリーポイントを示す信号を発光帯１に供給する。発光帯１は、前記信号に基づき、図６Ｃに示したように、バックボードの白線帯の上辺部分、下辺部分及び左右両辺部分に背設された発光部１１，１２，１３及び１４を点滅させる。これにより、スリーポイントゴールの客観的な告知及び確認ができるようになる。また、このとき、制御手段２は、前記ゴールポイントとしてスリーポイントを示す信号を発光帯１に供給する際、電光掲示板３のスコアにスリーポイントを加算させる信号を電光掲示板３に供給し、電光掲示板３に表示されたスコアにスリーポイントを加算させる。
【００４９】
尚、ピリオドが終了すると、審判員によってピリオド終了表示ボタン２４が押される。このとき、制御手段２がピリオド終了を示す信号を発光帯１に供給する。発光帯１は、前記信号に基づき、図６Ｄに示したように、バックボードの白線帯の上辺部分、左右両辺部分及び下辺部分に背設された発光部１１，１２，１３，１４を点灯させる。これにより、ピリオド終了の客観的な告知及び確認ができるようになる。また、このとき、制御手段２は、ピリオド終了を示す信号を発光帯１に供給する際、電光掲示板３のスコアにピリオド終了を表示させる信号を電光掲示板３に供給し、電光掲示板３においてピリオド終了を告知する。
【図面の簡単な説明】
【００５０】
【図１】本発明のゴールボートに具備された発光帯の実施形態例を示した概略構成図。
【図２】発光帯の取り付け状態を示した概略図で、特に（ａ）は正面図、（ｂ）は上面図、（ｃ）は側面図。
【図３】発光帯を構成する発光部の構成例を示したＡ−Ａ断面図。
【図４】発光部の点滅及び点灯回路の一例。
【図５】各表示ボタンによる発光部の点滅及び点灯を説明したブロック図。
【図６Ａ】ツーポイントゴールが決まった時の発光帯の点滅例。
【図６Ｂ】ワンポイントゴールが決まった時の発光帯の点滅例。
【図６Ｃ】スリーポイントゴールが決まった時の発光帯の点滅例。
【図６Ｄ】ピリオド終了時の発光帯の点灯例。
【符号の説明】
【００５１】
１…発光帯、１１，１２，１３，１４…発光部、１１０…光源、１１１…光散乱板、１１２…メインケース、１１３…配線用ケース、１１４，１１５…係合部
２…制御手段、２０…電源プラグ、２１…ツーポイント表示ボタン、２２…ワンポイント表示ボタン、２３…スリーポイント表示ボタン、２４…ピリオド終了表示ボタン、２５…配線、２６…接続ジャック
３…電光掲示板
４…ゴールボード、４ａ…バックボード、４ｂ…ゴールリング、４０…メインボード、４１，４２…白線帯、４３…ブラケット取付部、４４…ブラケット、４５…安全パッド
【図１】
2006102194.tif 000003
【図２】
2006102194.tif 000004
【図３】
2006102194.tif 000005
【図４】
2006102194.tif 000006
【図５】
2006102194.tif 000007
【図６Ａ】
2006102194.tif 000008
【図６Ｂ】
2006102194.tif 000009
【図６Ｃ】
2006102194.tif 000010
【図６Ｄ】
2006102194.tif 000011